(57)【要約】【課題】観客に適切なタイミングで公演の内容に関わる画像や文字を視認させることができ、観客に公演を楽しく鑑賞させ、公演の演出効果を向上することを目的とする。【解決手段】スクリーン５と、画像用投影機器６と、文字用投影機器７と、入力部１０と、検出部１１と、入力部１０から入力された公演の構成と公演の内容に関わる画像及び文字とを記憶する記憶部１２と、記憶部１２に記憶された公演の構成と検出部１１で検出された公演の音とを比較して公演の進行度合を判定する進行判定部１３と、公演の進行度合に同調して公演の内容に関わる画像をスクリーン５に投影するように画像用投影機器６を制御する画像用制御部１４と、公演の進行度合に同調して公演の内容に関わる文字をスクリーン５に投影するように文字用投影機器７を制御する文字用制御部１５と、を備えることを特徴とする。【選択図】図１
2017169722.tif 000002
【特許請求の範囲】
【請求項１】
公演が行われる舞台の観客から視認可能な位置に配置されたスクリーンと、
前記スクリーンに画像を投影する画像用投影機器と、
前記スクリーンに文字を投影する文字用投影機器と、
前記舞台で上演される公演の構成と公演の内容に関わる画像及び文字とを入力する入力部と、
前記舞台で上演される公演の音を検出する検出部と、
前記入力部から入力された公演の構成と公演の内容に関わる画像及び文字とを記憶する記憶部と、
前記記憶部に記憶された公演の構成と前記検出部で検出された公演の音とを比較して公演の進行度合を判定する進行判定部と、
前記進行判定部により判定された公演の進行度合に同調して前記記憶部に記憶された公演の内容に関わる画像を前記スクリーンに投影するように前記画像用投影機器を制御する画像用制御部と、
前記進行判定部により判定された公演の進行度合に同調して前記記憶部に記憶された公演の内容に関わる文字を前記スクリーンに投影するように前記文字用投影機器を制御する文字用制御部と、
を備えることを特徴とする舞台用演出システム。
【請求項２】
前記画像用制御部は、前記記憶部に記憶された公演の内容に関わる画像をプロジェクションマッピングにより前記スクリーンに投影するように前記画像用投影機器を制御し、
前記文字用制御部は、前記記憶部に記憶された公演の内容に関わる文字をプロジェクションマッピングにより前記スクリーンに投影するように前記文字用投影機器を制御する
ことを特徴とする請求項１に記載の舞台用演出システム。
【請求項３】
前記舞台に光を照射する照明機器と、
前記舞台で上演される公演の内容に関わる光の照射情報を入力する前記入力部と、
前記入力部から入力された公演の内容に関わる光の照射情報を記憶する前記記憶部と、
前記進行判定部により判定された公演の進行度合に同調して前記記憶部に記憶された公演の内容に関わる光の照射情報に従い光を前記舞台に照射するように前記照明機器を制御する照明用制御部と、
を備えることを特徴とする請求項１または請求項２に記載の舞台用演出システム。
【発明の詳細な説明】
【技術分野】
【０００１】
この発明は舞台用演出システムに係り、特に、舞台で上演される公演の演出効果を向上することが可能な舞台用演出システムに関する。
【背景技術】
【０００２】
劇場の舞台で行われるオーケストラ、オペラ、合唱などの公演においては、上演時に必要な各種の要素である幕類、照明、音響などを、調和を図りながら適切に組み合わせてまとめることで、演出の効果を高めている。
このような公演の演出効果を高める技術には、モーションセンサが検知する手指などの対象物体の位置によって照明空間の透視図上の位置を指定するように構成することで、舞台に光を照射する照明器具の選択などの作業性を向上させた照明制御システム（特許文献１）、出演者を大きく映し出す複数のスクリーンやディスプレイが互いに所定の位置関係になるように動きを制御することで、演出表現の幅を広げた舞台装置の制御方法（特許文献２）、などがある。
【先行技術文献】
【特許文献】
【０００３】
【特許文献１】特開２０１５−６９８９５号公報
【特許文献２】特開２０１０−１０４７２０号公報
【発明の概要】
【発明が解決しようとする課題】
【０００４】
ところで、従来の演出効果を高める技術において、例えばオーケストラの演奏に合わせて、公演の内容に関わる静止画や動画などの画像をスクリーンに投影することが行われている。
しかし、演奏された音楽と対応しない画像が投影されたり、演奏された音楽と投影された画像とにずれを生じる場合があるため、観客に違和感を持たせる問題があり、改善が望まれていた。
【０００５】
また、従来の演出効果を高める技術において、上演されるオペラや合唱などの公演について、観客が楽しく鑑賞できるように援助するために、公演の内容に関わる解説や台詞、歌詞の文字を表示したり、また、観客の言語と異なる言語で上演されるオペラや合唱などの公演について、公演の内容に関わる解説や台詞、歌詞の言語を観客が理解可能な言語に翻訳した文字を表示することが行われている。
しかし、解説や台詞、歌詞の発声と対応しない文字が表示されたり、解説や台詞、歌詞の発声と表示される文字とにずれを生じる場合があるため、観客に違和感を持たせる問題があり、改善が望まれていた。
【０００６】
そこで、この発明は、公演を鑑賞する観客に適切なタイミングで公演の内容に関わる画像や文字を視認させることができ、観客に公演を楽しく鑑賞させることができ、公演の演出効果を向上することが可能な舞台用演出システムを提供することを目的とする。
【課題を解決するための手段】
【０００７】
この発明は、公演が行われる舞台の観客から視認可能な位置に配置されたスクリーンと、スクリーンに画像を投影する画像用投影機器と、スクリーンに文字を投影する文字用投影機器と、舞台で上演される公演の構成と公演の内容に関わる画像及び文字とを入力する入力部と、舞台で上演される公演の音を検出する検出部と、入力部から入力された公演の構成と公演の内容に関わる画像及び文字とを記憶する記憶部と、記憶部に記憶された公演の構成と検出部で検出された公演の音とを比較して公演の進行度合を判定する進行判定部と、進行判定部により判定された公演の進行度合に同調して記憶部に記憶された公演の内容に関わる画像をスクリーンに投影するように画像用投影機器を制御する画像用制御部と、進行判定部により判定された公演の進行度合に同調して記憶部に記憶された公演の内容に関わる文字をスクリーンに投影するように文字用投影機器を制御する文字用制御部と、を備えることを特徴とする。
【発明の効果】
【０００８】
この発明は、公演の進行度合に同調して公演の内容に関わる画像をスクリーンに投影するように制御し、また、公演の進行度合に同調して公演の内容に関わる文字をスクリーンに投影するように制御するので、例えばオーケストラの公演においては演奏にずれを生じることなく画像や文字をスクリーンに表示することができ、また、例えばオペラや合唱の公演においては解説や台詞、歌詞にずれを生じることなく画像や文字をスクリーンに表示することができる。
このため、この発明は、公演を鑑賞する観客に適切なタイミングで画像や文字を視認させることができ、観客に公演を楽しく鑑賞させることができ、公演の演出効果を向上することができる。
【図面の簡単な説明】
【０００９】
【図１】図１は舞台用演出システムの配置図である。（実施例）
【図２】図２は舞台用演出システムの構成図である。（実施例）
【図３】図３は舞台用演出システムの制御フローチャートである。（実施例）
【図４】図４は舞台上の公演位置の後側及び左右側において公演位置を囲むように略逆Ｕ字形状に配置したスクリーンの概略平面図である。（実施例）
【図５】図５は客席部に設けたオーケストラピット後側に位置する舞台の前面側及びオーケストラピット左右端が接する舞台の前端左右側においてオーケストラピット後側を覆うように略横Ｉ字形状に配置したスクリーンの概略平面図である。（実施例）
【図６】図６は舞台上の公演位置の後側及び公演位置右側と公演位置左側の花道上とにおいて公演位置を囲むように略逆Ｌ字形状に配置したスクリーンの概略平面図である。（実施例）
【図７】図７は舞台上の公演位置の前側において公演位置の前面を覆うように横長形状に配置したスクリーンの概略平面図である。（実施例）
【発明を実施するための形態】
【００１０】
以下、図面に基づいて、この発明の実施例を説明する。
【実施例】
【００１１】
図１〜図７は、この発明の実施例を示すものである。図１において、劇場１は、公演が行われる舞台２と、舞台２に対向するように客席を配置した客席部３と、を有している。舞台２においては、オーケストラ、オペラ、合唱などの公演が行われる。観客は、客席部３の客席に着座した状態で、舞台２で行われる公演を鑑賞することができる。
舞台２で行われる公演の演出技術である舞台用演出システム４は、舞台２の観客から視認可能な位置に配置されたスクリーン５と、スクリーン５に画像を投影する画像用投影機器６と、スクリーン５に文字を投影する文字用投影機器７と、舞台２に光を照射する照明機器８と、を備える。
スクリーン５は、例えば長い形状の１枚と短い形状の２枚とからなる３枚を配置する。３枚のスクリーン５は、舞台２上の公演位置Ａの後側及び左右側に、公演位置Ａを囲むように略逆Ｕ字形状に並べて配置される。画像用投影機器６は、プロジェクタからなり、例えば３台を配置する。３台の画像用投影機器６は、３枚のスクリーン５のそれぞれに、正面から画像を投影するように配置される。文字用投影機器７は、プロジェクタからなり、例えば３台を配置する。３台の文字用投影機器７は、３枚のスクリーン５のそれぞれに、正面から文字を投影するように配置される。
なお、この実施例においては、画像用投影機器６及び文字用投影機器７の１台ずつを一組にまとめて３組に形成し、各組を３枚のスクリーン５のそれぞれに、正面から画像及び文字を投影するように配置される。照明機器８は、スポットライトやボーダーライトなどからなり、例えば３台を配置する。３台の照明機器８は、舞台２上の公演位置Ａを、それぞれが３方向から照射するように配置される。
【００１２】
画像用投影機器６により投影される画像は、例えば、オーケストラの場合は演奏される曲の内容に関わる静止画や動画、オペラの場合は上演される場面の内容に関わる静止画や動画、合唱の場合は歌われる合唱曲の内容に関わる静止画や動画、などである。
文字用投影機器７により投影される文字は、画像用投影機器６により投影される画像に付随する文字であり、例えば、オーケストラの場合は演奏される曲の内容に関わる解説の文字、オペラの場合は上演される場面の内容に関わる解説、台詞、歌詞の文字、合唱の場合は歌われる合唱曲の歌詞の文字、などである。
なお、公演が観客の使用する言語と異なる言語で上演される場合、文字用投影機器７から投影される文字は、例えば、オーケストラの場合は演奏される曲の内容に関わる解説の言語を観客が理解可能な言語に翻訳した文字、オペラの場合は上演される場面の内容に関わる解説、台詞、歌詞の言語を観客が理解可能な言語に翻訳した文字、合唱の場合は歌われる合唱曲の歌詞の言語を観客が理解可能な言語に翻訳した文字、などである。
照明機器８により照射される光は、例えば、オーケストラの場合は演奏される曲の内容に関わる色・明るさの光、オペラの場合は上演される場面の内容に関わる色・明るさの光、合唱の場合は歌われる合唱曲の内容に関わる色・明るさの光、などである。
【００１３】
画像用投影機器６と文字用投影機器７と照明機器８とは、図２に示すように、コンピュータからなる制御装置９の出力側に接続される。制御装置９の入力側には、舞台２で上演される公演の構成と公演の内容に関わる画像及び文字と公演の内容に関わる光の照射情報とを入力する入力部１０と、舞台２で上演される公演の音を検出する検出部１１と、が接続される。
入力部１０からは、公演の構成としては、例えば、オーケストラの場合は楽譜、オペラの場合は解説、楽譜、台詞、歌詞、合唱の場合は歌詞、などが入力される。
また、入力部１０からは、公演の内容に関わる画像として、例えば、オーケストラの場合は演奏される曲の内容に関わる静止画や動画、オペラの場合は上演される場面の内容に関わる静止画や動画、合唱の場合は歌われる合唱曲の内容に関わる静止画や動画、などが入力される。
さらに、入力部１０からは、公演の内容に関わる文字として、例えば、オーケストラの場合は演奏される曲の内容に関わる解説の文字、オペラの場合は上演される場面の内容に関わる解説、台詞、歌詞の文字、合唱の場合は歌われる合唱曲の歌詞の文字、などが入力される。
なお、公演が観客の使用する言語と異なる言語で上演される場合、入力部１０からは、公演の内容に関わる文字として、例えば、オーケストラの場合は演奏される曲の内容に関わる解説の言語を観客が理解可能な言語に翻訳した文字、オペラの場合は上演される場面の内容に関わる解説、台詞、歌詞の言語を観客が理解可能な言語に翻訳した文字、合唱の場合は歌われる合唱曲の歌詞の言語を観客が理解可能な言語に翻訳した文字、などが入力される。
さらにまた、入力部１０からは、公演の内容に関わる光の照射情報として、例えば、オーケストラの場合は演奏される曲の内容に関わる光の色、明るさ、オペラの場合は上演される場面の内容に関わる光の色、明るさ、合唱の場合は歌われる合唱曲の内容に関わる光のいろ、明るさ、などが入力される。
検出部１１は、上演される公演の音として、例えば、オーケストラの場合は演奏される曲の音色、オペラの場合は演奏される曲の音色、上演される場面の台詞、歌詞の音声、合唱の場合は歌われる合唱曲の歌詞の音声、などを検出する。
【００１４】
制御装置９は、記憶部１２と、進行判定部１３と、画像用制御部１４と、文字用制御部１５と、照明用制御部１６と、を備える。
記憶部１２は、入力部１０から入力された公演の構成と公演の内容に関わる画像及び文字と公演の内容に関わる光の照射情報とを記憶する。進行判定部１３は、記憶部１２に記憶された公演の構成と検出部１１で検出された公演の音とを比較して公演の進行度合を判定する。
進行判定部１３による公演の進行度合の判定において、例えば、オーケストラの場合は、楽譜の音符と演奏の音色とを比較し、音色に一致する音符を検索して演奏の進行度合を判定する。オペラの場合は、楽譜の音符と演奏の音色とを比較し、音色に一致する音符を検索して演技の進行度合を判定し、あるいは、台詞、歌詞と発声された音声とを比較し、音声に一致する台詞、歌詞を検索して演技の進行度合を判定する。合唱の場合は、歌詞と発声される音声とを比較し、音声に一致する歌詞を検索して歌唱の進行度合を判定する。
画像用制御部１４は、進行判定部１３により判定された公演の進行度合に合致する画像を記憶部１２から検索して読み出し、公演の進行度合に同調して記憶部１２に記憶された公演の内容に関わる画像をスクリーン５にプロジェクションマッピングにより投影するように画像用投影機器６を制御する。
また、文字用制御部１５は、進行判定部１３により判定された公演の進行度合に合致する文字を記憶部１２から検索して読み出し、公演の進行度合に同調して記憶部１２に記憶された公演の内容に関わる画像をスクリーン５にプロジェクションマッピングにより投影するように文字用投影機器７を制御する。
そして、照明用制御部１６は、進行判定部１３により判定された公演の進行度合に合致する光の照射情報を記憶部１２から検索して読み出し、進行判定部１３により判定された公演の進行度合に同調して記憶部１２に記憶された公演の内容に関わる光の照射情報に従い光を舞台２に照射するように照明機器８を制御する。
【００１５】
次に、図３に基づいて、舞台用演出システム４の作用を説明する。なお、図３においては、オーケストラの公演を演出する場合について説明する。
舞台用演出システム４は、制御装置９によって、図３に示すように、制御プログラムがスタートすると（Ｓ０１）、オーケストラの演奏開始に先立ち、公演の構成としてのオーケストラにより演奏される曲の楽譜、演奏される曲の内容に関わる画像や文字、演奏される曲の内容に関わる光の照射情報を入力部１０から入力し（Ｓ０２）、入力されたオーケストラの楽譜、画像や文字、光の照射情報を記憶部１２に記憶する（Ｓ０３）。
なお、舞台用演出システム４は、オーケストラの演奏が観客の使用する言語と異なる言語で上演される場合、演奏される曲の内容に関わる解説の言語を観客が理解可能な言語に翻訳した文字を入力部１０から入力し（Ｓ０２）、入力されたオーケストラの楽譜、画像や翻訳した文字、光の照射情報を記憶部１２に記憶する（Ｓ０３）。
舞台用演出システム４は、オーケストラの演奏が開始されると、舞台２の公演位置Ａで上演されるオーケストラの演奏の音色を音として検出部１１により検出し（Ｓ０４）、記憶部１２に記憶されたオーケストラの楽譜の音符と検出部１１で検出された演奏の音色を比較し、音色に一致する音符を検索してオーケストラの演奏の進行度合を判定する（Ｓ０５）。
舞台用演出システム４は、進行判定部１３により判定されたオーケストラの演奏の進行度合に合致する画像を記憶部１２から検索して読み出し、オーケストラの演奏の進行度合に同調して曲の内容に関わる画像をスクリーン５にプロジェクションマッピングにより投影するように画像用制御部１４により画像用投影機器６を制御する（Ｓ０６）。
また、舞台用演出システム４は、進行判定部１３により判定されたオーケストラの演奏の進行度合に合致する文字を記憶部１２から検索して読み出し、オーケストラの演奏の進行度合に同調して曲の内容に関わる文字（翻訳した文字）をスクリーン５にプロジェクションマッピングにより投影するように文字用制御部１５により文字用投影機器７を制御する（Ｓ０７）。
そして、舞台用演出システム４は、進行判定部１３により判定されたオーケストラの演奏の進行度合に合致する光の照射情報を記憶部１２から検索して読み出し、オーケストラの演奏の進行度合に同調して公演の内容に関わる光の照射情報に従い光を舞台２上のオーケストラの公演位置Ａに照射するように照明用制御部１６により照明機器８を制御する（Ｓ０８）。
その後、舞台用演出システム４は、進行判定部１３により判定されたオーケストラの演奏の進行度合から、オーケストラの演奏が終了に至ったか否かを判断する（Ｓ０９）。
舞台用演出システム４は、オーケストラの演奏が終了に至ったいず、判断（Ｓ０９）がＮＯの場合、音の検出（Ｓ０４）に戻り、ステップ（Ｓ０４）〜ステップ（Ｓ０８）を実行する。舞台用演出システム４は、オーケストラの演奏が終了に至り、判断（Ｓ０９）がＹＥＳの場合、プログラムをエンドにする（Ｓ１０）。
【００１６】
このように、舞台用演出システム４は、オーケストラの演奏の進行度合に同調して、オーケストラの演奏の内容に関わる画像をスクリーン５に投影するように制御し、オーケストラの演奏の内容に関わる文字をスクリーン５に投影するように制御するので、オーケストラの演奏にずれを生じることなく画像や文字を表示することができる。
このため、舞台用演出システム４は、オーケストラの演奏を鑑賞する観客に適切なタイミングで画像や文字を視認させることができ、観客に公演を楽しく鑑賞させることができ、公演の演出効果を向上することができる。
また、舞台用演出システム４は、オーケストラの演奏が観客の使用する言語と異なる言語で上演される場合にも、観客が理解可能な言語に翻訳した文字をスクリーン５に表示することができるので、観客に公演をより楽しく鑑賞させることができ、公演の演出効果を向上することができる。
なお、上述図３のフローチャートにおいては、オーケストラの公演について説明したが、オペラや合唱の公演においても解説や台詞、歌詞にずれを生じることなく画像や文字を表示することができる。
このため、舞台用演出システム４は、オーケストラにかぎらず、オペラ、合唱などの公演を鑑賞する観客に適切なタイミングで画像や文字を視認させることができ、観客に公演を楽しく鑑賞させることができ、公演の演出効果を向上することができる。
【００１７】
また、上述実施例においては、図４に示すように、３枚のスクリーン５を、舞台２上の公演位置Ａの後側及び左右側に公演位置Ａを囲むように略逆Ｕ字形状に並べて配置したが、他の配置形態にすることもできる。
例えば、スクリーン５は、図５に示すように、長い形状の１枚と短い形状の２枚とからなる３枚とし、客席部３に設けた公演位置Ａであるオーケストラピット１７後側の、舞台２の前面側及びオーケストラピット１７の左右端が接する舞台２の左右側前端において、オーケストラピット１７後側を覆うように略横Ｉ字形状に並べて配置することができる。
また、スクリーン５は、図６に示すように、長い形状の２枚と短い形状の１枚とからなる３枚とし、舞台２上の公演位置Ａの後側及び公演位置Ａの右側と公演位置Ａの左側に設けた花道１８とにおいて、公演位置Ａを囲むように略逆Ｌ字形状に並べて配置することができる。
さらに、スクリーン５は、図７に示すように、長い形状の１枚とし、舞台２上の公演位置Ａの前側において、公演位置Ａの前面を覆うように横長形状に配置することができる。なお、公演位置Ａの前面にスクリーン５を配置する場合は、スクリーン５を半透過型とすることで、投影された画像及び文字に重ねてスクリーン５後側で上演されるオーケストラ、オペラ、合唱などの公演を視認することができる。
【００１８】
この発明は、上述実施例に限定されることなく、種々応用改変が可能である。
例えば、上述実施例においては、スクリーン５に投影する画像に付随する一つの言語の文字を文字用投影機器７により投影したが、複数の言語の文字、例えば、例えば英語、フランス語、中国語、日本語などの文字を同時に投影することもできる。なお、一つ目の言語（第１言語）以外に、二つ目の言語（第２言語）以降の文字を投影する場合は、各言語の文字を色分けして投影することもできる。
このように、画像に付随する複数の言語の文字を投影する場合は、色分けして投影することで、オーケストラの音楽や、オペラ、合唱の歌などを楽しむ観客に対して、複数の言語の文字で解説や歌詞などを視認させることができるため、一つの言語を使用する観客に特定することなく、いろいろな言語を使用する観客に、画像による視覚効果と同時に、文字による公演の演出効果を提供することができる。
【００１９】
また、画像用制御部１４及び文字用制御部１５は、検出部１１がオーケストラの音楽、オペラの音楽・歌声、合唱の歌声を検出した際に、検出した音の高低・強弱に応じて画像の濃淡・色合い、文字の濃淡・色合い・大きさを変化させて投影するように制御することもできる。
このように、検出した音の高低・強弱に応じて画像や文字の濃淡・色合い・大きさを変化させることで、公演を鑑賞する観客への音に応じた視覚効果を向上することができる。
【００２０】
さらに、画像用制御部１４及び文字用制御部１５は、検出部１１がオーケストラの音楽、オペラの音楽・歌声、合唱の歌声を検出した際に、検出した音の高低・強弱に応じてスクリーン５を分割して確保した音楽用投影領域と歌声用投影領域の面積を変更し、画像や文字を投影するように制御することもできる。
このように、検出した音の高低・強弱に応じて画像や文字の投影される領域の面積を変更させることで、聴覚のみでなく、視覚からからも夫々のスクリーン領域の面積によって公演内容を認識でき、迫力ある演奏形態を実現することができる。
【産業上の利用可能性】
【００２１】
この発明は、観客に公演を楽しく鑑賞させることができ、公演の演出効果を向上することができるものであり、建物内での公演だけでなく、野外の公演にも適用することが可能である。
【符号の説明】
【００２２】
１  劇場
２  舞台
３  客席部
４  舞台用演出システム
５  スクリーン
６  画像用投影機器
７  文字用投影機器
８  照明機器
９  制御装置
１０  入力部
１１  検出部
１２  記憶部
１３  進行判定部
１４  画像用制御部
１５  文字用制御部
１６  照明用制御部
【図１】
2017169722.tif 000003
【図２】
2017169722.tif 000004
【図３】
2017169722.tif 000005
【図４】
2017169722.tif 000006
【図５】
2017169722.tif 000007
【図６】
2017169722.tif 000008
【図７】
2017169722.tif 000009